(57)【要約】      （修正有）【課題】表示装置のネットワークの接続確認を容易に行う技術を提供する。【解決手段】液晶テレビ２０は、ルーター８０への接続チェックの結果、接続できないと確認できたら、自身のＭＡＣアドレス「BB:BB:BB:BB:BB:BB」を外部端末装置１０に通知する。外部端末装置１０は、自身の固有のＭＡＣアドレス「AA:AA:AA:AA:AA:AA」を有し本来このＭＡＣアドレスでネットワーク接続を行うが、液晶テレビ２０からそのＭＡＣアドレスを取得すると、自身のＭＡＣアドレスの代わりに取得したＭＡＣアドレスを用いて、さらに各種の設定関連確認を行ってルーター８０との接続チェックを行う。接続確認ができたら、外部端末装置１０は接続設定を液晶テレビ２０に通知する。そして、液晶テレビ２０は接続確認が取れている接続設定を用いてルーター８０を介してネットワーク接続をし直す。【選択図】図２
2013258672.tif 000002
【特許請求の範囲】
【請求項１】
相互に通信可能で、かつそれぞれネットワークに接続可能な外部端末装置と表示装置とを備えた表示システムであって、
前記表示装置は、前記ネットワークと通信できない場合に、前記ネットワークに接続する際の前記表示装置の固有ＩＤを前記外部端末装置に対して通知する通信設定管理部を有し、
前記外部端末装置は、前記表示装置から取得した前記固有ＩＤを、前記外部端末装置が前記ネットワークに接続する際の前記外部端末装置の固有ＩＤに代替して、前記ネットワークへ接続確認を行う通信設定制御部と
を有することを特徴とする表示システム。
【請求項２】
前記表示装置の固有ＩＤと、前記外部端末装置の固有ＩＤは、それぞれに設定されているＭＡＣアドレスであることを特徴とする請求項１に記載の表示システム。
【請求項３】
前記外部端末装置の前記通信設定制御部は、前記表示装置が前記ネットワークに接続する際に接続されるルーターにアクセスして、前記表示装置の前記ＭＡＣアドレスを前記ルーターにフィルタ設定することを特徴とする請求項２に記載の表示システム。
【請求項４】
外部端末装置と通信可能であって、ネットワークに接続可能な表示装置であって、
前記ネットワークと通信できない場合に、前記ネットワークに接続する際の前記表示装置の固有ＩＤを前記外部端末装置に対して通知し、前記外部端末装置において前記固有ＩＤをもとに通信設定された通信設定情報を用いて前記ネットワークに接続しなおす通信設定管理部を備えることを特徴とする表示装置。
【請求項５】
ネットワークに接続可能な表示装置と通信可能な外部端末装置であって、
前記表示装置が前記ネットワークと通信できない場合に、前記ネットワークに接続する際の前記表示装置の固有ＩＤを前記表示装置から取得し、前記ネットワークに接続する際の自身の固有ＩＤの替わりに前記表示装置の固有ＩＤを用いて前記ネットワークに接続できるか否かを確認し、接続確認できた場合に前記固有ＩＤをもとに通信設定された通信設定情報を前記表示装置に通知する通信設定制御部を備える
ことを特徴とする外部端末装置。
【請求項６】
前記表示装置の固有ＩＤはＭＡＣアドレスであって、前記通信設定制御部は、前記表示装置が前記ネットワークに接続する際に接続されるルーターにアクセスして、前記表示装置の前記ＭＡＣアドレスを前記ルーターにフィルタ設定することを特徴とする請求項５に記載の表示システム。
【請求項７】
相互に通信可能で、かつそれぞれネットワークに接続可能な外部端末装置と表示装置とを備えた表示システムにおける前記表示装置の通信設定方法であって、
前記表示装置において、前記ネットワークと通信できないと判断した場合に、前記外部端末装置に対して、前記ネットワークに接続する際の前記表示装置の固有ＩＤを前記外部端末装置に対して通知する固有ＩＤ通知工程と、
前記外部端末装置において、前記表示装置から取得した前記固有ＩＤを、前記外部端末装置が前記ネットワークに接続する際の前記外部端末装置の固有ＩＤに代替して、前記ネットワークへ接続確認を行う通信確認工程と、
接続確認できた場合に前記固有ＩＤをもとに通信設定された通信設定情報を前記表示装置に通知する通信情報通知工程と
を有することを特徴とする通信設定方法。
【発明の詳細な説明】
【技術分野】
【０００１】
本発明は、ネットワークに接続可能な表示装置、外部端末装置、それら表示装置と外部端末装置とを備える表示システム及び表示装置の通信設定方法に関する。
【背景技術】
【０００２】
例えば、ホテル等のサービス業においては、複数のテレビジョン装置（以下、単に「テレビ」と称する。）を導入している。そして、全てのテレビを一度に導入したり、一度に入れ替えたりしたときには、ホテル側でホテル側の雰囲気に応じての設定が全てのテレビに対して行われることがある。特に、近年のテレビでは多様な機能が搭載されており、それらの設定を行う必要がある。
【０００３】
このようなテレビに対しての設定に関するものとして、特許文献１では、携帯電話端末の利用者単位で管理された個人設定情報に基づき、各利用者にとって快適な被制御機器制御を容易に実現することができるようにした遠隔制御システムを提案している。これは、携帯電話端末に、被制御機器の制御内容を指示入力するためのキー入力手段と、指示入力された被制御機器の制御内容を示す情報に当該携帯電話端末に固有の識別情報を付加する識別情報付加手段と、被制御機器の制御内容を示す情報及び識別情報を所定の送信コードに変換して被制御機器に送信する送信手段と、を設け、携帯端末から目的の設定情報をテレビに送信することでテレビの操作を容易に行うことができるようにしているものである。
【０００４】
また、特許文献２では、テレビが表示しているデータ情報を簡単な操作で携帯端末に受信させるようにしたテレビシステムを提案している。これは、画像のデータ情報（以下、画像データ）のデータリストの取得が指示されると、携帯電話は、テレビに対して、データリストの取得を要求するコマンドを送信する。テレビは、コマンドの内容に基づき、画像データを検索してデータリストを生成し、携帯電話に送信する。携帯電話は、送信されたデータリストをディスプレイに表示し、ユーザによって選択された画像データを要求するコマンドをテレビに送信する。テレビは、要求された画像データをコンテナから検索し、携帯電話に送信する、というようにしたものである。
【先行技術文献】
【特許文献】
【０００５】
【特許文献１】特開２０００−３０８１６４号公報
【特許文献２】特開２００８−３１２１５９号公報
【発明の概要】
【発明が解決しようとする課題】
【０００６】
ところで、上述のように近年のテレビには様々な機能が搭載されているが、そのような機能の中でもネットワークの接続に困ることが多い。ネットワークの接続設定は、テレビ単独の設定で完結しないことから、専門の知識がないと比較的単純な設定であっても難しいことがある。また、ホテルでは同じテレビをまとめて設定する為に、設定をコピーできるようにしているが、その設定の中でも、ネットワーク（インターネット）に繋がれば、色々とネットワーク経由で検索しながら、不具合等の症状を確認できる。しかし、インターネットに繋がらない時には、インターネットで確認ができず難しいとい課題があった。
【０００７】
上述した特許文献１では、携帯端末から目的の設定情報をテレビジョン装置に送信することでテレビジョン装置の操作を容易に行うことができるようになっているものの、携帯端末側で目的の設定情報を選択する必要があり、必ずしもネットワーク設定を簡便にできるわけではなく別の技術が求められていた。
【０００８】
また特許文献２では、ＴＶ番組に対応する番組表や文字や画像のデータ情報を扱っており、携帯端末からテレビジョン装置のデータ情報を吸い出せるものの、どのデータ情報を吸い出すかを選択する必要があり、ネットワーク設定に必ずしも利用できず、同様に別の技術が必要であった。
【０００９】
本発明は、このような状況に鑑みてなされたものであり、上記の課題を解決する技術を提供することを目的とする。
【課題を解決するための手段】
【００１０】
本発明の表示システムは、相互に通信可能で、かつそれぞれネットワークに接続可能な外部端末装置と表示装置とを備えた表示システムであって、前記表示装置は、前記ネットワークと通信できない場合に、前記ネットワークに接続する際の前記表示装置の固有ＩＤを前記外部端末装置に対して通知する通信設定管理部を有し、前記外部端末装置は、前記表示装置から取得した前記固有ＩＤを、前記外部端末装置が前記ネットワークに接続する際の前記外部端末装置の固有ＩＤに代替して、前記ネットワークへ接続確認を行う通信設定制御部とを有する。
また、前記表示装置の固有ＩＤと、前記外部端末装置の固有ＩＤは、それぞれに設定されているＭＡＣアドレスであってもよい。
前記外部端末装置の前記通信設定制御部は、前記表示装置が前記ネットワークに接続する際に接続されるルーターにアクセスして、前記表示装置の前記ＭＡＣアドレスを前記ルーターにフィルタ設定してもよい。
本発明の表示装置は、外部端末装置と通信可能であって、ネットワークに接続可能な表示装置であって、前記ネットワークと通信できない場合に、前記ネットワークに接続する際の前記表示装置の固有ＩＤを前記外部端末装置に対して通知し、前記外部端末装置において前記固有ＩＤをもとに通信設定された通信設定情報を用いて前記ネットワークに接続しなおす通信設定管理部を備える。
本発明の外部端末装置は、ネットワークに接続可能な表示装置と通信可能な外部端末装置であって、前記表示装置が前記ネットワークと通信できない場合に、前記ネットワークに接続する際の前記表示装置の固有ＩＤを前記表示装置から取得し、前記ネットワークに接続する際の自身の固有ＩＤの替わりに前記表示装置の固有ＩＤを用いて前記ネットワークに接続できるか否かを確認し、接続確認できた場合に前記固有ＩＤをもとに通信設定された通信設定情報を前記表示装置に通知する通信設定制御部を備える。
前記表示装置の固有ＩＤはＭＡＣアドレスであって、前記通信設定制御部は、前記表示装置が前記ネットワークに接続する際に接続されるルーターにアクセスして、前記表示装置の前記ＭＡＣアドレスを前記ルーターにフィルタ設定してもよい。
本発明の通信設定方法は、相互に通信可能で、かつそれぞれネットワークに接続可能な外部端末装置と表示装置とを備えた表示システムにおける前記表示装置の通信設定方法であって、前記表示装置において、前記ネットワークと通信できないと判断した場合に、前記外部端末装置に対して、前記ネットワークに接続する際の前記表示装置の固有ＩＤを前記外部端末装置に対して通知する固有ＩＤ通知工程と、前記外部端末装置において、前記表示装置から取得した前記固有ＩＤを、前記外部端末装置が前記ネットワークに接続する際の前記外部端末装置の固有ＩＤに代替して、前記ネットワークへ接続確認を行う通信確認工程と、接続確認できた場合に前記固有ＩＤをもとに通信設定された通信設定情報を前記表示装置に通知する通信情報通知工程とを有する。
【発明の効果】
【００１１】
本発明によれば、ネットワーク接続可能な表示装置において、ネットワーク接続の設定に不具合が発生した場合でも、一定要件のもと携帯端末を用いて接続設定確認が容易にできる。
【図面の簡単な説明】
【００１２】
【図１】実施形態に係る、液晶テレビの概略構成を示す機能ブロック図である。
【図２】実施形態に係る、液晶テレビのネットワーク設定方法の概念を示したチャート図である。
【図３】実施形態に係る、液晶テレビのネットワーク設定方法のフローチャートである。
【図４】実施形態の変形例に係る、液晶テレビの概略構成を示す機能ブロック図である。
【図５】実施形態の変形例に係る、液晶テレビのネットワーク設定方法の概念を示したチャート図である。
【図６】実施形態の変形例に係る、液晶テレビのネットワーク設定方法のフローチャートである。
【発明を実施するための形態】
【００１３】
以下、本発明の実施形態の詳細について図面を参照して説明する。
図１は、本実施形態に係る表示システム１の概略構成を示す機能ブロック図であって、表示システム１は、液晶テレビ１０と外部端末装置２０とを備え、相互に通信可能であると共に、それぞれルーター８０を介してインターネット等のネットワーク９０に、さらにプロバイダ７０に接続可能になっている。なお、図１は本実施形態において特徴的な点である通信設定に着目して図示しており、その他の一般的な機能については適宜省略しており、説明についても省略する。
【００１４】
まず、本実施形態の概要を図２のチャート図を用いて説明する。
液晶テレビ１０は、自身の固有のＭＡＣアドレスとして「BB:BB:BB:BB:BB:BB」を有しており、そのＭＡＣアドレスを用いてルーター８０に接続され、外部のネットワーク９０に接続される。このルーター８０への接続チェックの結果、接続できないと確認できたら、液晶テレビ１０は、自身の固有のＭＡＣアドレス「BB:BB:BB:BB:BB:BB」を外部端末装置２０に通知する。
【００１５】
外部端末装置２０は、自身の固有のＭＡＣアドレス「AA:AA:AA:AA:AA:AA」を有し本来このＭＡＣアドレスでネットワーク接続を行うが、液晶テレビ１０からそのＭＡＣアドレス「BB:BB:BB:BB:BB:BB」を取得すると、自身のＭＡＣアドレスの代わりに取得したＭＡＣアドレスを用いてルーター８０に接続確認を行い、さらに各種の設定関連確認を行ってプロバイダ７０との接続チェックを行う。
【００１６】
接続確認ができたら、外部端末装置２０は接続設定を液晶テレビ１０に通知する。そして、液晶テレビ１０は接続確認が取れている接続設定を用いてルーター８０を介してネットワーク接続をし直す。
【００１７】
つづいて、上記の通信設定を行うための具体的な液晶テレビ１０及び外部端末装置２０の構成について説明する。
【００１８】
液晶テレビ１０は、通信部１１と、記憶部１３と、通信設定管理部１６とを備える。
【００１９】
通信部１１は、外部端末装置２０の通信部２１と通信可能とするインタフェイスと、ルーター８０を介してネットワーク接続するためのインタフェイスとを備える。外部端末装置２０と通信する為のインタフェイスとして、赤外線通信やブルートゥース（登録商標）通信等の無線通信等がある。ルーター８０を開始してネットワーク接続するためのインタフェイスとして、例えば無線ＬＡＮや有線ＬＡＮによる通信がある。そして、通信部１１は、ネットワーク接続が不調の際に、外部端末装置２０を介して接続設定を行うための各種のコマンド信号の送受信を行う。
【００２０】
記憶部１３は、ＭＡＣアドレス記憶部１４とＴＶ通信設定記憶部１５とを備える。ＭＡＣアドレス記憶部１４は、液晶テレビ１０の固有のＭＡＣアドレスとして「AA:AA:AA:AA:AA:AA」を記憶する。ＴＶ通信設定記憶部１５には、通信部１１を用いて外部と通信を行うために必要な各種の設定情報が記憶されている。設定情報としては、例えば、ルーター８０を介した通信については、プロバイダ７０への接続のためのＤＨＣＰ、ＩＰアドレス、Ｎｅｔｍａｓｋ、Ｇａｔｅｗａｙ、ＤＮＳ等である。また、外部端末装置２０とのリンク情報等も記憶される。
【００２１】
通信設定管理部１６は、外部（外部端末装置２０やルーター８０、ネットワーク９０等）との通信を管理する。また、ルーター８０を介したネットワーク９０への接続が不調のさいに、外部端末装置２０と共同によって、不調確認のための処理を行う。具体的には、通信設定管理部１６は、ネットワーク接続が不調であると判断すると、外部端末装置２０に対して自身のＭＡＣアドレス「BB:BB:BB:BB:BB:BB」を通知すると共に、そのＭＡＣアドレスを用いてネットワーク接続を確認するように通知する。さらに、外部端末装置２０においてネットワーク接続が確認できた設定情報をもとにして再度ネットワーク接続を行う。この設定情報として、ネットワーク接続が確認できたＭＡＣアドレスだけでもよいし、さらには、ＤＨＣＰ、ＩＰアドレス、Ｎｅｔｍａｓｋ、Ｇａｔｅｗａｙ、ＤＮＳ等の情報が含まれてもよい。
【００２２】
外部端末装置２０は、例えばスマートフォン等の携帯電話であって、通信部２１と、記憶部２３と、通信設定制御部２６とを備える。
【００２３】
通信部２１は、液晶テレビ１０の通信部１１と通信可能とするインタフェイスと、ルーター８０を介してネットワーク接続するためのインタフェイスと、携帯電話回線９５による通信（通話・データ通信）を行うためのインタフェイスとを備える。液晶テレビ１０と通信する為のインタフェイスとして、赤外線通信やブルートゥース（登録商標）通信等の無線通信等がある。ルーター８０を開始してネットワーク接続するためのインタフェイスとして、例えば無線ＬＡＮや有線ＬＡＮによる通信がある。そして、通信部２１は、ネットワーク接続が不調の際に、液晶テレビ１０と接続設定を行うための各種のコマンド信号の送受信を行う。
【００２４】
記憶部２３は、ＭＡＣアドレス記憶部２４と、ＴＶ−ＭＡＣアドレス記憶部２５とを備える。ＭＡＣアドレス記憶部２４は、自身のＭＡＣアドレス「AA:AA:AA:AA:AA:AA」を記憶する。ＴＶ−ＭＡＣアドレス記憶部２５は、液晶テレビ１０から通知を受けた液晶テレビ１０のＭＡＣアドレス「BB:BB:BB:BB:BB:BB」を記憶する。ＴＶ−ＭＡＣアドレス記憶部２５における液晶テレビ１０のＭＡＣアドレスの記憶は、不適切な使用を回避するために、接続確認処理中の一時的なものであって、接続確認処理が終了すると、原則として消去される。なお、記憶部２３は、液晶テレビ１０の通信のための設定情報をほかの項目についても取得した場合は、所定の記憶領域にその設定情報も記憶する。
【００２５】
通信設定制御部２６は、液晶テレビ１０におけるネットワーク接続不調及びそのＭＡＣアドレスの通知を受けると、自身のＭＡＣアドレスの替わりに液晶テレビ１０のＭＡＣアドレス「BB:BB:BB:BB:BB:BB」を用いてネットワーク接続確認を行う。
【００２６】
以上の構成による液晶テレビ１０におけるネットワーク接続不調時の通信設定方法について図３のフローチャートを参照して説明する。
【００２７】
液晶テレビ１０は、まず、通信設定管理部１６は自身のＭＡＣアドレス「BB:BB:BB:BB:BB:BB」を用いて、ルーター８０を介してネットワーク９０に接続を行い（Ｓ１０）、ネットワーク接続可能であるか否かを判断する（Ｓ１２）。ネットワーク接続ができる場合は（Ｓ１２のＹ）、以降の処理は終了し、通常通りネットワーク接続がなされる。
【００２８】
ネットワーク接続ができない場合は（Ｓ１２のＮ）、通信設定管理部１６はＭＡＣアドレス記憶部１４から自身のＭＡＣアドレス「BB:BB:BB:BB:BB:BB」を取得して、通信部１１から外部端末装置２０に通知する（Ｓ１４）。
【００２９】
外部端末装置２０では、通信設定制御部２６が通信部２１を介して取得した液晶テレビ１０のＭＡＣアドレスをＴＶ−ＭＡＣアドレス記憶部２５に記録するとともに、自身のＭＡＣアドレスに替えて、液晶テレビ１０のＭＡＣアドレスを用いてルーター８０を介してネットワーク接続を試みる（Ｓ１６）。
【００３０】
ネットワーク接続が可能な場合（Ｓ１８のＹ）、通信設定制御部２６はプロバイダ７０への設定確認として、まず、ＤＨＣＰの設定が適切か否かを判断する（Ｓ２０）。
【００３１】
ＤＨＣＰの設定が適切である場合（Ｓ２０のＹ）、通信設定制御部２６はＩＰアドレスの設定が適切であるか否かを判断する（Ｓ２２）。
【００３２】
ＩＰアドレスが適切である場合（Ｓ２２のＹ）、通信設定制御部２６はＧａｔｅｗａｙの設定が適切であるか否かを判断する（Ｓ２４）。
【００３３】
Ｇａｔｅｗａｙの設定が適切である場合（Ｓ２４のＹ）、通信設定制御部２６はＤＮＳの設定が適切であるか否かを判断する（Ｓ２６）。
【００３４】
ＤＮＳの設定が適切である場合（Ｓ２６のＹ）、通信設定制御部２６は適切と判断された上述の各種設定情報をもとにしてネットワーク接続が可能であるか否かを判断する（Ｓ２８）。
【００３５】
ネットワーク接続が可能であることが確認できたら（Ｓ２８のＹ）、通信設定制御部２６は、接続確認できたＭＡＣアドレスを含めた各種設定情報を液晶テレビ１０に通知する（Ｓ３０）。
【００３６】
ネットワーク接続が不可能である場合（Ｓ２８のＮ）、通信設定制御部２６は液晶テレビ１０に対して再度ネットワーク接続に必要な各種の設定情報を送信するように通知し、Ｓ１４の処理に戻る。
【００３７】
ネットワーク接続ができない場合（Ｓ１８のＮ）、ＤＨＣＰの設定が不適切な場合（Ｓ２０のＮ）、ＩＰアドレスの設定が不適切な場合（Ｓ２２のＮ）、Ｇａｔｅｗａｙの設定が不適切な場合（Ｓ２４のＮ）、及びＤＮＳの設定が不適切な場合（Ｓ２６のＮ）、外部端末装置２０は携帯電話回線（例えば３Ｇ回線）に通信を切り替えて、不具合の分析を行う（Ｓ３２）。
【００３８】
外部端末装置２０が例えばスマートフォンのようにウェブブラウザを搭載している場合、ユーザはインターネット上で不具合の事例等を検索することが容易である。また、プロバイダ７０があらかじめ対象方法等を所定のデータベースにおいて提供している場合には、そのデータベースにアクセスすることで、不具合の解消がより容易になる。さらに、プロバイダ７０が外部端末装置２０で用いる液晶テレビ１０のネットワーク設定用の所定のアプリケーションを提供する場合、そのアプリケーションを用いて、必要とされる各種設定情報を取得してもよい。
【００３９】
不具合の分析ができた場合（Ｓ３２のＹ）、通信設定制御部２６は、分析結果を液晶テレビ１０に通知するとともに、Ｓ１４の処理に戻る。以降、分析結果を反映したうえでＳ１４以降の処理がなされる。
【００４０】
不具合の分析ができなかった場合（Ｓ３２のＮ）、通信設定制御部２６はプロバイダ７０へその旨を通知する（Ｓ３４）。通知は電子メールによる連絡や、上記のアプリケーションによる連絡、その他各種の手段を用いることができる。
【００４１】
以上、本実施形態によると液晶テレビ１０のＭＡＣアドレスが一端外部端末装置２０に送信され、そのＭＡＣアドレスで繋がることが確認された上で、その設定が液晶テレビ１０に戻すことできる。また、液晶テレビ１０がネットワーク９０に繋がらない場合でも、外部端末装置２０経由でインターネット（ネットワーク９０）に接続し、不具合原因を探すことができる。したがって、近年では液晶テレビ１０にはマニュアルが内蔵されることがあるが、そのような場合でも、通信設定画面からそのマニュアルに切り替えるといった動作を行わずにすむことから、設定の作業性を向上させることができる。
【００４２】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【００４３】
そのような変形例の一態様について図４〜６を参照して説明する。図４は本変形例に係る表示システム１ａの概略構成を示す機能ブロック図であって、上述の実施形態の表示システム１と異なる点は、外部端末装置２０ａがウェブブラウザ２８を備える点にある。
【００４４】
一般に、液晶テレビ１０の設定が正しくてもルーター８０の設定が不適切であるとネットワーク９０への接続ができない。その場合でも、外部端末装置２０ａがウェブブラウザ２８を備えていれば、そのウェブブラウザ２８を使用してルーター８０の設定まで一度に可能になる。また、ルーター８０において特定の液晶テレビ１０のＭＡＣアドレスのみ認証許可されるように、フィルタ設定を行うことにより、セキュリティを向上させる。
【００４５】
まず、図５のチャート図に基づいて、変形例に係る処理の概要を説明する。
液晶テレビ１０は、自身の固有のＭＡＣアドレスとして「BB:BB:BB:BB:BB:BB」を有しており、そのＭＡＣアドレスを用いてルーター８０に接続され、外部のネットワーク９０に接続される。このルーター８０への接続チェックの結果、接続できないと確認できたら、液晶テレビ１０は、自身の固有のＭＡＣアドレス「BB:BB:BB:BB:BB:BB」を外部端末装置２０に通知する。
【００４６】
外部端末装置２０は、自身の固有のＭＡＣアドレス「AA:AA:AA:AA:AA:AA」を有し本来このＭＡＣアドレスでネットワーク接続を行うが、液晶テレビ１０からそのＭＡＣアドレス「BB:BB:BB:BB:BB:BB」を取得すると、自身のＭＡＣアドレスの代わりに取得したＭＡＣアドレスを用いてルーター８０に接続確認を行い、さらに各種の設定関連確認を行ってプロバイダ７０との接続チェックを行う。
【００４７】
接続確認が出来ない場合、外部端末装置２０は、ウェブブラウザ２８を用いてルーター８０にアクセスし、ルーター８０の設定関連情報を確認するとともに、液晶テレビ１０のＭＡＣアドレスをルーター８０にフィルタリング登録する。その後、外部端末装置２０は接続設定を液晶テレビ１０に通知する。そして、液晶テレビ１０は接続確認が取れている接続設定を用いてルーター８０を介してネットワーク接続をし直す。
【００４８】
以上の構成による液晶テレビ１０におけるネットワーク接続不調時の通信設定方法について図６のフローチャートを参照して説明する。ここでは図３で示した処理と異なる点に着目して説明する。
【００４９】
本変形例では、ネットワーク接続ができない場合（Ｓ１８のＮ）、ＤＨＣＰの設定が不適切な場合（Ｓ２０のＮ）、ＩＰアドレスの設定が不適切な場合（Ｓ２２のＮ）、Ｇａｔｅｗａｙの設定が不適切な場合（Ｓ２４のＮ）、及びＤＮＳの設定が不適切な場合（Ｓ２６のＮ）、外部端末装置２０は、不具合分析に先立ち、ルーター８０の設定確認を行う（Ｓ３１）。その後、外部端末装置２０は携帯電話回線（例えば３Ｇ回線）に通信を切り替えて、不具合の分析を行う（Ｓ３２）。
【００５０】
また、本変形例では、ネットワーク接続が可能であることが確認できたら（Ｓ２８のＹ）、上述のように、外部端末装置２０の通信設定制御部２６は、液晶テレビ１０のＭＡＣアドレスをルーター８０にフィルタ設定をする（Ｓ２９）。その後、実施形態と同様に通信設定制御部２６は、接続確認できたＭＡＣアドレスを含めた各種設定情報を液晶テレビ１０に通知する（Ｓ３０）。
【００５１】
本変形例によると、ルーター８０の設定も外部端末装置２０ａ（外部記憶装置）経由で行うことができ、液晶テレビ１０のネットワーク９０への接続設定が容易になる。また、表示システム１ａのセキュリティも向上する。
【符号の説明】
【００５２】
１、１ａ  表示システム
１０  液晶テレビ
１１  通信部
１３  記憶部
１４  ＭＡＣアドレス記憶部
１５  ＴＶ通信設定記憶部
１６  通信設定管理部
２０、２０ａ  外部端末装置
２１  通信部
２３  記憶部
２４  ＭＡＣアドレス記憶部
２５  ＴＶ−ＭＡＣアドレス記憶部
２６  通信設定制御部
２８  ウェブブラウザ
７０  プロバイダ
８０  ルーター
９０  ネットワーク
９５  携帯電話回線
【図１】
2013258672.tif 000003
【図２】
2013258672.tif 000004
【図３】
2013258672.tif 000005
【図４】
2013258672.tif 000006
【図５】
2013258672.tif 000007
【図６】
2013258672.tif 000008